(57)【特許請求の範囲】
【請求項１】
洗眼薬を注ぎ眼に当てがって使用するカップを２個１組で支持する洗眼用カップホルダーであって、
前記２個のカップの各々を着脱自在に挟持し得るＣ字状に形成された１対の支持部材と、
前記両支持部材を互いに連結するとともに、前記両支持部材の相対的な位置調節を可能にする可撓性を有した連結部材と
を備えたことを特徴とする洗眼用カップホルダー。
【請求項２】
前記支持部材が、該支持部材に支持されたカップの底面に当接する当接部材を備えていることを特徴とする請求項１に記載の洗眼用カップホルダー。
【請求項３】
洗眼薬を注ぎ眼に当てがって使用するカップを２個１組で支持する洗眼用カップホルダーであって、
前記カップの外周面の一部と当接可能な当接部及び前記カップの底部と係合可能な係合部により、前記カップを着脱自在に支持し得る２個の支持部材と、
前記両支持部材を互いに連結するとともに、前記両支持部材の相対的な位置調節を可能にする可撓性を有した連結部材と
を備えたことを特徴とする洗眼用カップホルダー。
【請求項４】
前記連結部材は、前記カップが前記支持部材に支持され眼に当てがわれた状態において、顔の前方へ凸となる向きのＵ字形部分を備えていることを特徴とする請求項１から３のいずれかに記載の洗眼用カップホルダー。
【請求項５】
前記連結部材は、前記カップが前記支持部材に支持された状態でカップの開口側に位置する第１の面と、前記開口側と反対方向に位置する第２の面とを備え、
少なくとも前記第１の面に、前記連結部材の長手方向を横切る方向に延びる一以上の溝部が形成されていることを特徴とする請求項１から３のいずれかに記載の洗眼用カップホルダー。
【発明の詳細な説明】
【０００１】
【発明の属する技術分野】
本発明は、洗眼薬を注ぎ眼に当てがって使用するカップを２個１組で支持する洗眼用カップホルダーに関するものである。
【０００２】
【従来の技術】
近年、コンタクトレンズの普及に伴って、目薬を点眼して眼を洗浄する従来の方法のほかに、洗眼薬を用いる方法が急速に普及している。この方法では、洗眼薬が注がれたカップを、その開口縁部が眼の周囲に密着するように押しつけ、洗眼薬がカップと眼の周囲との間から漏れないようにしながら、眼球の表面全体を洗眼薬に浸すことにより、眼の汚れを洗い流したり、薬効を作用させたりしている。
【０００３】
【発明が解決しようとする課題】
ところで、上記した方法で両眼を洗浄する場合には、衛生上の観点から、片側の眼を洗浄した後に一旦カップを洗い、再度カップに洗眼薬を注いで、もう片方の眼を洗浄しなければならず、洗眼作業が面倒になっていた。
【０００４】
したがって、カップを２個準備して、各カップに洗眼薬を注ぎ、左右の手でそれぞれカップを挟持ながら両眼を洗浄することもある。しかしながら、この場合は、各カップを別々に支持しなければならないため、安定性に欠け、それぞれの手への注意力が必要となる。また、小さなカップを個々に扱うことになるので、わずかな接触でカップが倒れ洗眼薬がこぼれてしまうこともあり、扱い難いという問題もあった。
【０００５】
本発明は、このような従来技術の問題を解決すべくなされたものであり、洗眼薬が注がれた２個のカップを安定して支持するとともに、両眼の洗眼を同時に行うのに好適な洗眼用カップホルダーを提供することを目的とする。
【０００６】
【課題を解決するための手段】
本発明は、上記目的を達成するため、洗眼薬を注ぎ眼に当てがって使用するカップを２個１組で支持する洗眼用カップホルダーであって、前記２個のカップの各々を着脱自在に挟持し得るＣ字状に形成された１対の支持部材と、前記両支持部材を互いに連結するとともに、前記両支持部材の相対的な位置調節を可能にする可撓性を有した連結部材とを備えた洗眼用カップホルダーを提供するものである（第１発明）。
【０００７】
前記支持部材は、該支持部材に支持されたカップの底面に当接する当接部材を備えたものとすることができる。
【０００８】
本発明はまた、上記目的を達成するため、洗眼薬を注ぎ眼に当てがって使用するカップを２個１組で支持する洗眼用カップホルダーであって、前記カップの外周面の一部と当接可能な当接部及び前記カップの底部と係合可能な係合部により、前記カップを着脱自在に支持し得る２個の支持部材と、前記両支持部材を互いに連結するとともに、前記両支持部材の相対的な位置調節を可能にする可撓性を有した連結部材とを備えた洗眼用カップホルダーを提供するものである（第２発明）。
【０００９】
前記連結部材は、前記カップが前記支持部材に支持され眼に当てがわれた状態において、顔の前方へ凸となる向きのＵ字形部分を備えたものとすることができる。
【００１０】
前記連結部材は、前記カップが前記支持部材に支持された状態でカップの開口側に位置する第１の面と、前記開口側と反対方向に位置する第２の面とを備え、少なくとも前記第１の面に、前記連結部材の長手方向を横切る方向に延びる一以上の溝部が形成されたものとすることができる。
【００１１】
【発明の実施の形態】
以下、本発明に係る洗眼用カップホルダーの実施形態について図面を参照しつつ説明する。以下の説明においては、複数の実施形態を通じて、同一又は同種の部分に同一の符号を付す。
【００１２】
本発明に係る洗眼用カップホルダーの第１実施形態について図１及び図２を参照して説明する。図１は洗眼用カップホルダーの正面図であり、図２はその平面図である。
【００１３】
図１及び図２に示すように、このカップホルダー１は、可撓性のある直鎖状低密度ポリエチレンにより構成され、洗眼用のカップ２を支持するＣ字状に形成された２個の支持部材３と、両支持部材３を連結し、これらと一体的に形成された連結部材５とを備えている。
【００１４】
洗眼用のカップ２は、通常、その水平断面形状が円形、長円形、卵形等である。各支持部材３は、その内面がカップ２の外周面に沿うように形成され、さらにカップ２が水平方向に脱離しないように挟持するため、Ｃ字形部分は、支持部材３に支持された基端部から２つに分岐して先端部へとカップ２の最大径部を越えて延びカップ２を周方向に囲む形状とされる。
【００１５】
各支持部材３の一端部には、外向きフランジ７が形成され、このフランジ７の上面にカップ２の向きを決めるためのマーク１１が形成されている。そして、洗眼時には、同図に示すように、支持部材３のフランジ７側から、洗眼用のカップ２が嵌め込まれ、支持部材３の内周面とカップ２の外周面とが密着することにより、カップ２が摩擦固定される。このとき、後述するカップ２に形成されているマークを、支持部材３のマーク１１に一致させることで、支持部材３に対してカップ２を洗眼に適した向きに配置することができる。なお、マーク１１の配置位置は任意であり、カップ２の向きを決めることが可能な位置であれば支持部材３上のどこであってもよい。
【００１６】
連結部材５は、その中間部に、カップ２が支持部材３に支持され眼に当てがわれた状態で、顔の前方へ凸となる向きのＵ字形部分１３が形成されており、このＵ字形部分１３によって、連結部材５を屈曲させたり、或いは連結部材５を長手方向に伸縮させることができる。これにより、各カップ２を、使用者の眼の間隔、眼周辺部の角度に合わせて密着させることが可能となる。
【００１７】
次に、このカップホルダー１の使用方法について説明する。洗眼を行うためには、まず、カップホルダー１の支持部材３に各々洗眼用のカップ２を嵌め込む。このとき、カップ２に形成されている縦筋状のマーク１５を、上述した支持部材３のマーク１１に位置決めする。続いて、各カップ２に所定量の洗眼薬を注いだ後、カップホルダー１を手指で支持しながら、連結部材５を屈曲乃至伸縮させて各カップ２の開口部２ａを眼の周囲に密着させる。この状態で、洗眼薬が眼球を覆うように顔を仰向けの状態にして眼の洗浄を行う。
【００１８】
以上のように、本実施形態に係る洗眼用カップホルダーによれば、カップホルダー１を支持しながら各カップ２の開口縁部を眼の周辺部に密着させることにより、左右の眼を同時に洗眼することができる。このとき、両カップ２は、支持部材３を介して連結部材５で連結されているため、両カップ２の水平度を容易に保つことができ、安定した状態で眼の周辺部に密着させることができる。また、マーク１１、１５により両カップ２を洗眼に適した向きに配置することができるため、両カップ２を同時により確実に眼の周辺部に密着することができる。
【００１９】
また、両カップ２は、２個１組でカップホルダー１に安定して支持されるため、例えばカップが僅かな接触等によって倒れて洗眼薬がこぼれるのを防止することができる。しかも、２個のカップ２がバラバラの状態でなく、２個１組の状態で保持されるため、保管時においてカップ２の紛失を防止することもできる。
【００２０】
さらに、連結部材５は、上記した可撓性のあるポリエチレンで構成されるとともにＵ字形部分１３が形成されているため、連結部材５を屈曲、伸縮、或いは捻りによって両カップ２の相対的な位置決めを容易に行うことができ、これによって使用者の眼の位置や、眼周辺部の形状に合わせて、カップ２を眼の周辺部に確実に密着させることができる。なお、連結部材５は上記ポリエチレンのほか、ポリオレフィン系で、特に耐薬品性、低温安定性に優れたポリエチレン、ポリプロピレン等で構成するのが好ましい。
【００２１】
上記第１実施形態では、支持部材３をＣ字状に形成してカップ２の外周面を支持しているが、これに限定されるものではなく、例えば支持部材を次のように構成すると、カップ２の垂直方向の位置が安定する。以下、図３及び図４を参照しつつ、本発明の第２実施形態について説明する。図３は、第２実施形態に係る洗眼用カップホルダーの正面図であり、図４はその平面図である。
【００２２】
この第２実施形態が先に説明した第１実施形態と相違する主な点は、支持部材の構成である。
【００２３】
図３及び図４に示すように、第２実施形態に係る洗眼用カップホルダー１の支持部材２１は、連結部材５と一体的に形成されカップ２の外周面に当接する当接部２３と、カップ２の底部に係合する係合部２５とから構成されている。当接部２３は、カップ２の外周に沿うように中心角が約１２０°の円弧状に形成されており、その一端部に外向きフランジ２７が設けられている。係合部２５は、底板２９及び２個の突出片３１，３３からなる断面コ字状に形成されており、一方の突出片３１が当接部２３の下面に取り付けられている。そして、他方の突出片３３と当接部２３とでカップ２が水平方向に移動するのを規制している。
【００２４】
洗眼を行う場合には、各カップ２の底面が係合部２５の底板２９に当接するまで、しっかりとカップ２を支持部材２１に嵌め込み、所定量の洗眼薬をカップ２に注いだ後、カップホルダー１を手指で支持しながら、連結部材５を屈曲乃至伸縮させ、各カップ２の開口部２ａを眼の周囲に密着させて眼の洗浄を行う。
【００２５】
以上のように、本実施形態によると、上記第１実施形態と同様の効果が得られるのは勿論のこと、カップ２の底部が係合部２５に係合しているため、各カップ２の垂直方向の動きを規制することができるとともに、両カップ２の開口部２ａの高さを容易に一致させることができる。その結果、より安定した状態で眼の洗浄を行うことができる。
【００２６】
本実施形態では、当接部２３を中心角が約１２０°の円弧状に形成しているが、これに限定されるものではなく、カップ２の外周面に当接可能な形状であればよい。
【００２７】
また、本実施形態と同様にカップ２の垂直方向の移動を規制するため、第１実施形態の支持部材３を次のように構成してもよい。すなわち、図５及び６に示すように、支持部材３においてフランジ７が形成されている側と反対側の端部に、カップ２の底面と当接するＴ字形の当接部材３５を取り付ける。このような構成により、上記第２実施形態と同様の効果を得ることができる。なお、当接部材３５の形状は上記Ｔ字形に限定されず、カップ２の底面に当接して、垂直方向の移動を規制できるものであればよい。
【００２８】
上記各実施形態では、連結部材５にＵ字形部分１３を形成して両支持部材３、２１間の距離を調整しているが、連結部材を次のように構成してもよい。なお、以下では、第１実施形態に係るカップホルダーに適用した例を説明する。
【００２９】
図７及び図８に示すように、連結部材５の一方の面５ａ、つまり支持されたカップ２の開口部２ａ側の面５ａに、連結部材５の長手方向と直交する複数の溝からなる第１溝部４１を形成するとともに、連結部材５の他方の面５ｂにおいて一連の第１溝部４１の両端を挟む位置に一対の溝からなる第２溝部４３を形成する。こうすることで、例えば支持部材３を互いに近接させると、連結部材５は、第１及び第２溝部４１，４３の溝の空所を閉じるように変形する。その結果、第１溝部４１を設けた部分は、複数の溝により湾曲形状（図７の仮想線）に変形し、第２溝部４３を設けた部分は、湾曲した部分とその両側の部分との境界部分で屈曲する。したがって、予め湾曲形状としない簡単な構成で、連結部材５を容易に屈曲させることができ、コストの面からも有利である。
【００３０】
ここで、溝の数、位置、その深さは、連結部材の材質や屈曲させる度合いによって適宜決定すればよい。なお、第１及び第２溝部４１，４３は、いずれか一方のみ設けた場合であっても、屈曲を容易にする効果がある。また、連結部材５が扱いやすい可撓性のある材料で構成されていれば、必ずしもＵ字形部分１３や溝部４１，４３を設ける必要はない。
【００３１】
上記各実施形態では、カップ２を支持部材３に嵌め込み摩擦接触により、カップ２を固定しているが、より確実にカップ２を支持するためには、カップホルダー１に次のような固定機構を設ければよい。すなわち、図９に示すように、カップ２の外周面下部に突起２ｂを形成するとともに、これに係合可能な溝部４５を支持部材３の内周面に形成する。この構成により、カップ２を支持部材３に嵌め込んだときに、突起２ｂと溝部４５とが係合するため、カップ２を支持部材３に確実に固定することができ、例えばカップ２が支持部材３上で滑って回ったりすることなく、洗眼作業をより安定して行うことができる。但し、この固定機構は、上記したものに限定されるものではなく、例えばカップ側に溝部を形成し支持部材側に突起部を形成してもよく、この他カップ２を支持部材３に着脱自在に固定できる種々の構造を採用することができる。
【００３２】
なお、上記説明では、溝部を付した連結部材及び固定機構を第１実施形態のカップホルダーに適用しているが、第２実施形態のカップホルダーに適用できることは言うまでもない。
【００３３】
【発明の効果】
以上のように、本発明（第１発明）の洗眼用カップホルダーによれば、連結部材で連結されたＣ字状の支持部材により、２個のカップを挟持して一体的に保持できるので、両カップの水平度を容易に保つことができ、安定した状態でカップを眼の周辺に密着させることができる。
【００３４】
連結部材は、各支持部材の相対的な位置を調整可能に構成されているため、使用者の眼の位置や、顔の形状に合わせて、カップを確実に眼の周辺部に密着させることができる。
【００３５】
また、本発明（第２発明）の洗眼用カップホルダーによれば、洗眼用カップを支持する支持部材が、カップの外周面の一部と当接可能な当接部及びカップの底部と係合可能な係合部を備えているため、カップの垂直方向の移動を規制することができるとともに、カップの開口部の高さを容易に一致させることができ、その結果、安定した状態でカップを眼の周辺に密着させることができる。
【図面の簡単な説明】
【図１】本発明の第１実施形態に係る洗眼用カップホルダーの正面図である。
【図２】本発明の第１実施形態に係る洗眼用カップホルダーの平面図である。
【図３】本発明の第２実施形態に係る洗眼用カップホルダーの正面図である。
【図４】本発明の第２実施形態に係る洗眼用カップホルダーの平面図である。
【図５】本発明に係る洗眼用カップホルダーの支持部材の他の例を示す正面図である。
【図６】本発明に係る洗眼用カップホルダーの支持部材の他の例を示す平面図である。
【図７】本発明に係る洗眼用カップホルダーの連結部材の他の例を示す正面図である。
【図８】本発明に係る洗眼用カップホルダーの連結部材の他の例を示す平面図である。
【図９】本発明に係る洗眼用カップホルダーの支持部材のさらに他の例を示す正面図である。
【符号の説明】
１…洗眼用カップホルダー
２…カップ
３，２１…支持部材
５…連結部材
１３…Ｕ字形部分
２３…当接部
２５…係合部
３５…当接部材
４１，４３…溝部
【図１】
0004552080.tif 000002
【図２】
0004552080.tif 000003
【図３】
0004552080.tif 000004
【図４】
0004552080.tif 000005
【図５】
0004552080.tif 000006
【図６】
0004552080.tif 000007
【図７】
0004552080.tif 000008
【図８】
0004552080.tif 000009
【図９】
0004552080.tif 000010